(57)【要約】      （修正有）【課題】内容物の損傷を抑制しつつ、封函テープを容易に剥離することが可能な箱用シートを提供する。【解決手段】組立状態で互いに対向する一対の第１側面パネル１及び一対の第２側面パネル２と、一対の第１側面パネルの上縁から延出し、先端縁同士が突き合わされる一対の蓋外フラップ３とを備え、箱型に組み立て可能な箱用シートであって、少なくとも一方の蓋外フラップの先端側の角部に、一方の蓋外フラップの側縁からこの蓋外フラップの先端縁に延びる破断誘導線１２によって画定される切り離し可能領域１１が設けられており、切り離し可能領域に、破断誘導線の中間部分と一方の蓋外フラップの先端縁又は側縁とを接続する折り曲げ容易線１３が設けられている。【選択図】図１
0003227748.tif 000002
【実用新案登録請求の範囲】
【請求項１】
組立状態で互いに対向する一対の第１側面パネル及び一対の第２側面パネルと、
上記一対の第１側面パネルの上縁から延出し、先端縁同士が突き合わされる一対の蓋外フラップと
を備え、箱型に組み立て可能な箱用シートであって、
少なくとも一方の上記蓋外フラップの先端側の角部に、上記一方の蓋外フラップの側縁からこの蓋外フラップの先端縁に延びる破断誘導線によって画定される切り離し可能領域が設けられており、
上記切り離し可能領域に、上記破断誘導線の中間部分と上記一方の蓋外フラップの先端縁又は側縁とを接続する折り曲げ容易線が設けられている箱用シート。
【請求項２】
上記一方の蓋外フラップが、上記切り離し可能領域よりも基端側の側部に上記切り離し可能領域に連続する切り欠きを有する請求項１に記載の箱用シート。
【請求項３】
上記破断誘導線が、上記切り欠きの底部から延びるスリット部を有し、上記折り曲げ容易線が、このスリット部に接続されている請求項２に記載の箱用シート。
【請求項４】
上記スリット部が、上記切り欠きの底部から上記一方の蓋外フラップの基端側かつ幅方向の内側に延びる第１部分と、この第１部分から連続し、上記一方の蓋外フラップの先端側かつ幅方向内側に延びる第２部分とを有しており、
上記折り曲げ容易線が、上記第１部分と上記第２部分との接続部分に接続されている請求項３に記載の箱用シート。
【請求項５】
上記折り曲げ容易線が、上記一方の蓋外フラップの上記角部の頂部に接続されている請求項１から請求項４のいずれか１項に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に広く用いられている。この段ボールシートとしては、組立状態で対向する一対の側面パネル及び一対の端面パネルと、一対の側面パネルの上縁から延出する一対の蓋外フラップと、一対の端面パネルの上縁から延出する一対の蓋内フラップとを有するものが広く採用されている。この箱体は、一対の側面パネル及び一対の端面パネルが四角筒状に組み立てられた状態で、一対の蓋内フラップを内側に折り曲げ、さらに一対の蓋外フラップを先端縁同士を突き合わせるように内側に折り曲げて、一対の蓋外フラップの突き合わせ部分を封函テープで封止することで蓋部が形成される。
【０００３】
この箱体は、内容物を取り出す際には、封函テープを剥がしたうえで一対の蓋外フラップ同士を開放することを要する。しかしながら、封函テープを剥がす際には、例えば封函テープの端部に爪をかけることを要し、剥離作業に手間がかかる。また、カッターナイフを用いて封函テープを切断することも考えられるが、内容物を傷つけるおそれや、手指を損傷するおそれがある。
【０００４】
そのため、今日では、端面パネルの上部に、封函テープの端部が配置される切り離し部を設けることが提案されている（特開２００７−８５２９号公報参照）。
【先行技術文献】
【特許文献】
【０００５】
【特許文献１】特開２００７−８５２９号公報
【考案の概要】
【考案が解決しようとする課題】
【０００６】
上記公報に記載の段ボール箱は、切り離し部を切り離すことで、この切り離し部と同時に封函テープの端部を端面パネルから引き剥がすことができる。しかしながら、このように端面パネルの一部を切り離す場合、切り離しの過程で、切り離し部を一端段ボール箱内に押し込むことを要する場合がある。そのため、この構成によると、段ボール箱内に切り離し部を押し込むスペースがない場合には、封函テープの剥離作業が却って煩雑になるおそれがある。また、この構成によると、切り離し部の押し込み動作に起因して、内容物が損傷するおそれがある。
【０００７】
本考案は、このような不都合に鑑みてなされたものであり、内容物の損傷を抑制しつつ、封函テープを容易に剥離することが可能な箱用シートを提供することを目的とする。
【課題を解決するための手段】
【０００８】
上記課題を解決するためになされた本考案の一態様に係る箱用シートは、組立状態で互いに対向する一対の第１側面パネル及び一対の第２側面パネルと、上記一対の第１側面パネルの上縁から延出し、先端縁同士が突き合わされる一対の蓋外フラップとを備え、箱型に組み立て可能な箱用シートであって、少なくとも一方の上記蓋外フラップの先端側の角部に、上記一方の蓋外フラップの側縁からこの蓋外フラップの先端縁に延びる破断誘導線によって画定される切り離し可能領域が設けられており、上記切り離し可能領域に、上記破断誘導線の中間部分と上記一方の蓋外フラップの先端縁又は側縁とを接続する折り曲げ容易線が設けられている。
【考案の効果】
【０００９】
本考案の一態様に係る箱用シートによると、内容物の損傷を抑制しつつ、封函テープを容易に剥離することができる。
【図面の簡単な説明】
【００１０】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体の切り離し可能領域と封函テープとの位置関係を示す模式的斜視図である。
【図４】図４は、図２の箱体における封函テープの剥離開始時の状態を示す模式的斜視図である。
【図５】図５は、図２の箱体における封函テープの剥離途中の状態を示す模式的斜視図である。
【考案を実施するための形態】
【００１１】
［本考案の実施形態の説明］
最初に本考案の実施態様を列記して説明する。
【００１２】
本考案の一態様に係る箱用シートは、組立状態で互いに対向する一対の第１側面パネル及び一対の第２側面パネルと、上記一対の第１側面パネルの上縁から延出し、先端縁同士が突き合わされる一対の蓋外フラップとを備え、箱型に組み立て可能な箱用シートであって、少なくとも一方の上記蓋外フラップの先端側の角部に、上記一方の蓋外フラップの側縁からこの蓋外フラップの先端縁に延びる破断誘導線によって画定される切り離し可能領域が設けられており、上記切り離し可能領域に、上記破断誘導線の中間部分と上記一方の蓋外フラップの先端縁又は側縁とを接続する折り曲げ容易線が設けられている。
【００１３】
当該箱用シートから組み立てられる箱体は、一対の蓋外フラップの先端縁同士が突き合わされており、この一対の蓋外フラップの突き合わせ部分に封函テープが貼着されることで蓋部が封止される。当該箱用シートは、少なくとも一方の上記蓋外フラップの先端側の角部に、上記一方の蓋外フラップの側縁からこの蓋外フラップの先端縁に延びる破断誘導線によって画定される切り離し可能領域が設けられているので、この切り離し可能領域を切り離すことで、この切り離し可能領域に貼着されている封函テープを同時に引き剥がすことができる。当該箱用シートは、上記切り離し可能領域に、上記破断誘導線の中間部分と上記一方の蓋外フラップの先端縁又は側縁とを接続する折り曲げ容易線が設けられており、上記切り離し可能領域における上記一方の蓋外フラップの上記折り曲げ容易線よりも幅方向外側の領域は、上記折り曲げ容易線の折り曲げによって立ち上げられる剥離開始片を構成する。当該箱用シートは、上記剥離開始片の立ち上げによって、この剥離開始片のエッジに沿って封函テープを破断しやすい。当該箱用シートは、上記剥離開始片の立ち上げを起点として上記封函テープを引き剥がすことができるため、上記封函テープの剥離が容易である。また、当該箱用シートは、上記切り離し可能領域が上記一方の蓋外フラップに設けられているので、上記切り離し可能領域を切り離す際に内容物を損傷し難い。従って、当該箱用シートによると、内容物の損傷を抑制しつつ、上記封函テープを容易に剥離することができる。
【００１４】
上記一方の蓋外フラップが、上記切り離し可能領域よりも基端側の側部に上記切り離し可能領域に連続する切り欠きを有するとよい。このように、上記一方の蓋外フラップが、上記切り離し可能領域よりも基端側の側部に上記切り離し可能領域に連続する切り欠きを有することによって、上記切り欠き側から上記剥離開始片に指を掛けて上記剥離開始片を容易に立ち上げることができる。
【００１５】
上記破断誘導線が、上記切り欠きの底部から延びるスリット部を有し、上記折り曲げ容易線が、このスリット部に接続されているとよい。このように、上記破断誘導線が、上記切り欠きの底部から延びるスリット部を有し、上記折り曲げ容易線が、このスリット部に接続されていることによって、上記折り曲げ容易線の意図しない折れ曲がりを抑制できると共に、上記剥離開始片をより容易に立ち上げることができる。
【００１６】
上記スリット部が、上記切り欠きの底部から上記一方の蓋外フラップの基端側かつ幅方向の内側に延びる第１部分と、この第１部分から連続し、上記一方の蓋外フラップの先端側かつ幅方向内側に延びる第２部分とを有しており、上記折り曲げ容易線が、上記第１部分と上記第２部分との接続部分に接続されているとよい。このように、上記スリット部が、上記切り欠きの底部から上記一方の蓋外フラップの基端側かつ幅方向の内側に延びる第１部分と、この第１部分から連続し、上記一方の蓋外フラップの先端側かつ幅方向内側に延びる第２部分とを有しており、上記折り曲げ容易線が、上記第１部分と上記第２部分との接続部分に接続されていることによって、上記剥離開始片をより容易に立ち上げることができると共に、上記剥離開始片の立ち上げに連続して上記切り離し可能領域全体を容易に切り離すことができる。
【００１７】
上記折り曲げ容易線が、上記一方の蓋外フラップの上記角部の頂部に接続されているとよい。このように、上記折り曲げ容易線が、上記一方の蓋外フラップの上記角部の頂部に接続されていることによって、上記剥離開始片をより容易に立ち上げることができると共に、上記剥離開始片の立ち上げによって上記封函テープを容易に破断することができる。
【００１８】
［本考案の実施形態の詳細］
以下、適宜図面を参照しつつ、本考案の実施の形態を詳説する。
【００１９】
［箱用シート］
図１の箱用シート１０は、組立状態で互いに対向する一対の第１側面パネル１及び一対の第２側面パネル２と、一対の第１側面パネル１の上縁から延出し、先端縁同士が突き合わされる一対の蓋外フラップ３とを備える。また、当該箱用シート１０は、一対の第２側面パネル２の上縁から延出する一対の蓋内フラップ４と、一対の第１側面パネル１の下縁から延出する一対の底外フラップ５と、一対の第２側面パネル２の下縁から延出する一対の底内フラップ６と、一対の第１側面パネル１のうち、左右方向外側（本実施形態では左右方向左側）に位置する第１側面パネル１の左右方向外側の側縁から延出する糊代７とを備える。一対の第１側面パネル１及び一対の第２側面パネル２は、左右方向に交互に連接されている。なお、「左右方向」とは、箱用シートを組み立ててなる箱体の想定される一般的な使用態様における水平方向を意味する。「上」とは、箱用シートを組み立ててなる箱体の想定される一般的な使用態様における上を意味し、「下」とは、箱用シートを組み立ててなる箱体の想定される一般的な使用態様における下を意味する。また、図１において、太い実線はシートを切断して形成される切断線を示し、細い実線はシートの片面を筋押しして形成される罫線を示す。
【００２０】
当該箱用シート１０は、一対の蓋外フラップ３の先端縁の角部に、蓋外フラップ３の側縁から先端縁に延びる破断誘導線１２によって画定される切り離し可能領域１１が設けられている。切り離し可能領域１１には、破断誘導線１２の中間部分と蓋外フラップ３の先端縁又は側縁とを接続する折り曲げ容易線１３が設けられている。
【００２１】
当該箱用シート１０は、箱型に組み立て可能であり、具体的には図２のＡ式（ミカン箱タイプ）の箱体２０に組み立てられる。当該箱用シート１０を箱体２０に組み立てる手順について説明する。まず、左右方向外側（本実施形態では左右方向左側）に位置する第１側面パネル１をこの第１側面パネル１に連接される第２側面パネル２の内面に折り重ね、左右方向外側（本実施形態では左右方向右側）に位置する第２側面パネル２をこの第２側面パネル２に連接される第１側面パネル１の内面に折り重ね、糊代７を折り重ねられた第２側面パネル２の内面に貼着する。続いて、無端状に接続された一対の第１側面パネル１及び一対の第２側面パネル２を四角筒状に広げたうえ、一対の底内フラップ６を内側に折り曲げ、さらに一対の底外フラップ５を内側に折り曲げて先端縁同士を突き合わせ、箱体２０の底部を形成する。次に、一対の蓋内フラップ４を内側に折り曲げ、さらに一対の蓋外フラップ３を内側に折り曲げて先端縁同士を突き合わせ、箱体２０の蓋部を形成する。一対の底外フラップ５の先端縁同士の突き合わせ部分及び一対の蓋外フラップ３の先端縁同士の突き合わせ部分には、封函テープＸが貼着され、これにより箱体２０の蓋部及び底部が封止される。封函テープＸとしては、例えばクラフトテープが挙げられる。
【００２２】
当該箱用シート１０は、１枚のシート材から形成される。当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２３】
（第１側面パネル）
一対の第１側面パネル１は矩形状かつ略同一形状に形成されている。第１側面パネル１の左右方向長さは第２側面パネル２の左右方向長さよりも大きい。つまり、第１側面パネル１は、箱体２０において長さ面を構成する長さ面パネルである。
【００２４】
第１側面パネル１の左右方向長さとしては、箱体２０に収容する物品の大きさ等に基づいて適宜設定可能であるが、例えば３０ｃｍ以上６０ｃｍ以下とすることができる。第１側面パネル１の上下方向長さとしては、箱体２０に収容する物品の大きさ等に基づいて適宜設定可能であるが、例えば１０ｃｍ以上４０ｃｍ以下とすることができる。
【００２５】
（第２側面パネル）
一対の第２側面パネル２は矩形状かつ略同一形状に形成されている。第２側面パネル２は、箱体２０において幅面を構成する幅面パネルである。第２側面パネル２の左右方向長さとしては、箱体２０に収容する物品の大きさ等に基づいて適宜設定可能であるが、例えば１５ｃｍ以上４０ｃｍ以下とすることができる。第２側面パネル２の上下方向長さとしては、第１側面パネル１の上下方向長さと同じとすることができる。
【００２６】
（蓋外フラップ）
一対の蓋外フラップ３は略同一形状に形成されている。蓋外フラップ３は、第１側面パネル１の左右方向長さと略同幅の略長方形状である。蓋外フラップ３は、先端側の角部の頂部３ａが面取りされていてもよい。蓋外フラップ３の延出方向長さは、第２側面パネル２の左右方向長さの略１／２である。
【００２７】
蓋外フラップ３は、先端側の一方の角部に切り離し可能領域１１を有する。また、蓋外フラップ３は、切り離し可能領域１１よりも基端側の側部に、切り離し可能領域１１に連続する切り欠き１４を有する。
【００２８】
〔切り離し可能領域〕
図３に示すように、切り離し可能領域１１には、蓋外フラップ３の幅方向に沿って封函テープＸが部分的に貼着される封函テープ貼着部である。具体的には、封函テープＸは、切り離し可能領域１１における蓋外フラップ３の先端側の領域を、蓋外フラップ３の幅方向に沿って横断する。切り離し可能領域１１は、封函テープＸの破断を開始する破断開始部を構成する。
【００２９】
図３に示すように、破断誘導線１２は、切り欠き１４の底部から蓋外フラップ３の基端側かつ幅方向内側に延びる第１部分１２ａと、第１部分１２ａから連続し、蓋外フラップ３の先端側かつ幅方向内側に延びる第２部分１２ｂとを有する。第１部分１２ａ及び第２部分１２ｂの接続部分は湾曲していてもよい。第１部分１２ａ及び第２部分１２ｂにおける上記接続部分以外の部分は直線状であることが好ましい。
【００３０】
第１部分１２ａと第２部分１２ｂとの接続部分は、封函テープＸが貼着されない部分である。そのため、上記接続部分と蓋外フラップ３の先端縁との間隔は、封函テープＸの幅の１／２よりも大きい。上記接続部分と蓋外フラップ３の先端縁との間隔の下限としては４ｃｍが好ましく、５ｃｍがより好ましい。一方、上記間隔の上限としては、７ｃｍが好ましく、６ｃｍがより好ましい。上記間隔が上記下限に満たないと、切り離し可能領域１１における封函テープＸの貼着面積率が大きくなり過ぎて、切り離し可能領域１１の切り離しが困難になるおそれがある。逆に、上記間隔が上記上限を超えると、切り離し可能領域１１における封函テープＸの貼着面積率が小さくなり過ぎて、切り離し可能領域１１の切り離しが困難になるおそれがある。
【００３１】
折り曲げ容易線１３は、切り離し可能領域１１を剥離開始片１１ａと、剥離誘導片１１ｂとに区画する。図４及び図５を参照して、剥離開始片１１ａ及び剥離誘導片１１ｂの機能について説明する。
【００３２】
剥離開始片１１ａは、折り曲げ容易線１３によって、切り離し可能領域１１における蓋外フラップ３の幅方向外側に区画される部分である。剥離開始片１１ａにおける蓋外フラップ３の先端側の部分には封函テープＸが横断する。図４に示すように、箱体２０では、折り曲げ容易線１３の折り曲げによって剥離開始片１１ａを立ち上げることで剥離開始片１１ａのエッジに沿って封函テープＸを破断することができる。
【００３３】
図５に示すように、剥離誘導片１１ｂは、剥離開始片１１ａを立ち上げて、剥離開始片１１ａを蓋外フラップ３の幅方向内側に引っ張ることで、剥離開始片１１ａに追随して蓋外フラップ３の幅方向内側に引っ張られる。この際、剥離誘導片１１ｂに貼着されている封函テープＸが、剥離誘導片１１ｂと共に蓋外フラップ３の幅方向内側に引っ張られる。その結果、封函テープＸが、一対の蓋外フラップ３同士の突き合わせ部分から剥離される。
【００３４】
破断誘導線１２は、切り欠き１４の底部から延びるスリット部１５を有する。折り曲げ容易線１３は、このスリット部１５接続されている。この構成によると、折り曲げ容易線１３の意図しない折り曲げを抑制できると共に、剥離開始片１１ａを容易に立ち上げることができる。すなわち、折り曲げ容易線１３が、切り欠き１４の底部よりも蓋外フラップ３の幅方向の内側に接続されていることで（つまり、折り曲げ容易線１３が切り欠き１４内に露出していないことで）、折り曲げ容易線１３の意図しない折れ曲がりを抑制しやすい。また、折り曲げ容易線１３がスリット部１５に接続されていることで、剥離開始片１１ａを立ち上げる際にシート材を破断することを要しないので、剥離開始片１１ａを容易に立ち上げることができる。なお、破断誘導線１２のスリット部１５以外の部分は、例えば複数の切れ目が間隔を空けて配置されたミシン目部とすることができる。
【００３５】
折り曲げ容易線１３は、第１部分１２ａと第２部分１２ｂとの接続部分に接続されていることが好ましい。この構成によると、剥離開始片１１ａをより容易に立ち上げることができると共に、剥離開始片１１ａの立ち上げに連続して切り離し可能領域１１全体を容易に切り離すことができる。つまり、折り曲げ容易線１３が第１部分１２ａと第２部分１２ｂとの接続部分に接続されていることで、剥離開始片１１ａにおける蓋外フラップ３の基端側のエッジが、蓋外フラップ３の幅方向の外側に向けて蓋外フラップ３の先端側に傾斜することになり、このエッジに手指を掛けて剥離開始片１１ａを立ち上げやすくなる。また、剥離誘導片１１ｂにおける蓋外フラップ３の基端側のエッジが、蓋外フラップ３の幅方向の内側に向けて蓋外フラップ３の先端側に傾斜することになり、破断誘導線１２を第２部分１２ｂで切り離しやすくなる。
【００３６】
折り曲げ容易線１３は、蓋外フラップ３の先端側の角部の頂部３ａに接続されていることが好ましい。この構成によると、剥離開始片１１ａをより容易に立ち上げることができると共に、剥離開始片１１ａの立ち上げによって封函テープＸを容易に破断することができる。
【００３７】
折り曲げ容易線１３は直線状である。蓋外フラップ３の延出方向に対する折り曲げ容易線１３の傾斜角度α（すなわち、箱体２０における第２側面パネル２の上縁に対する折り曲げ容易線１３の傾斜角度）の下限としては、２０°が好ましく、２５°がより好ましい。一方、上記傾斜角度αの上限としては、５０°が好ましく、４０°がより好ましい。上記傾斜角度αが上記下限に満たないと、剥離開始片１１ａを立ち上げた際に、剥離開始片１１ａの立ち上がり高さが不十分となり、封函テープＸを確実に破断できないおそれがある。逆に、上記傾斜角度αが上記上限を超えると、剥離開始片１１ａの立ち上げが困難となるおそれや、剥離開始片１１ａの立ち上げ時に剥離開始片１１ａが中間部分で折れ曲がるおそれがある。
【００３８】
蓋外フラップ３の先端縁に対する第２部分１２ｂ（第２部分１２ｂのうち第１部分１２ａとの接続部分以外の部分）の傾斜角度βの下限としては、２０°が好ましく、３０°がより好ましく、４０°がより好ましい。一方、上記傾斜角度βの上限としては、６０°が好ましく、５０°がより好ましい。上記傾斜角度βが上記下限に満たないと、蓋外フラップ３の幅方向における剥離誘導片１１ｂの長さが不必要に大きくなり、切り離し可能領域１１の切り離し作業が容易でなくなるおそれがある。逆に、上記傾斜角度βが上記上限を超えると、破断誘導線１２による破断が容易でなくなるおそれがある。
【００３９】
〔切り欠き〕
切り欠き１４は、蓋外フラップ３における剥離開始片１１ａの基端側に連続して設けられる。当該箱用シート１０は、切り欠き１４を有することで、切り欠き１４側から剥離開始片１１ａに指を掛けて剥離開始片１１ａを容易に立ち上げることができる。
【００４０】
切り欠き１４は、折り曲げ容易線１３の意図しない折れ曲がりを抑制できるよう、折り曲げ容易線１３と直接的には接続されていないことが好ましい。
【００４１】
（蓋内フラップ）
一対の蓋内フラップ４は、略同一形状に形成されている。蓋内フラップ４は、第２側面パネル２の左右方向長さと略同幅の略長方形状である。蓋内フラップ４は、先端側の角部の頂部が面取りされていてもよい。
【００４２】
蓋内フラップ４の延出方向長さは、蓋外フラップ３の延出方向長さと同じとすることができる。蓋内フラップ４は、箱体２０の平面視において、切り離し可能領域１１を内包する大きさに形成されることが好ましい。すなわち、蓋内フラップ４は、箱体２０において、切り離し可能領域１１全体を下方から支持するように配置されることが好ましい。
【００４３】
（底外フラップ）
一対の底外フラップ５は略同一形状に形成されている。底外フラップ５は、第１側面パネル１の左右方向長さと略同幅の略長方形状である。底外フラップ５は、先端側の角部の頂部が面取りされていてもよい。底外フラップ５の延出方向長さは、第２側面パネル２の左右方向長さの略１／２である。底外フラップ５の先端側の一方の角部には、蓋外フラップ３に設けられている切り離し可能領域１１と同様の切り離し可能領域１６が形成されている。
【００４４】
（底内フラップ）
一対の底内フラップ６は、略同一形状に形成されている。底内フラップ６は、第２側面パネル２の左右方向長さと略同幅の略長方形状である。底内フラップ６は、先端側の角部の頂部が面取りされていてもよい。
【００４５】
底内フラップ６の延出方向長さは、底外フラップ５の延出方向長さと同じとすることができる。底内フラップ６は、箱体２０の平面視において、切り離し可能領域１６を内包する大きさに形成されることが好ましい。
【００４６】
＜利点＞
当該箱用シート１０は、一対の蓋外フラップ３の先端側の角部に、蓋外フラップ３の側縁から先端縁に延びる破断誘導線１２によって画定される切り離し可能領域１１が設けられているので、この切り離し可能領域１１を切り離すことで、この切り離し可能領域１１に貼着されている封函テープＸを同時に引き剥がすことができる。当該箱用シート１０は、切り離し可能領域１１に、破断誘導線１２の中間部分と蓋外フラップ３の先端縁又は側縁とを接続する折り曲げ容易線１３が設けられており、切り離し可能領域１１における折り曲げ容易線１３よりも幅方向外側の領域は、折り曲げ容易線１３の折り曲げによって立ち上げられる剥離開始片１１ａを構成する。当該箱用シート１０は、剥離開始片１１ａの立ち上げによって剥離開始片１１ａのエッジに沿って封函テープＸを破断しやすい。当該箱用シート１０は、剥離開始片１１ａの立ち上げを起点として封函テープＸを引き剥がすことができるため、封函テープＸの剥離が容易である。また、当該箱用シート１０は、切り離し可能領域１１が蓋外フラップ３に設けられているので、切り離し可能領域１１を切り離す際に内容物を損傷し難い。従って、当該箱用シート１０によると、内容物の損傷を抑制しつつ、封函テープＸを容易に剥離することができる。
【００４７】
当該箱用シート１０は、破断誘導線を箱体の側面パネルに設けることを要しないので、箱体の座屈強度の低下を抑制しやすい。
【００４８】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４９】
例えば上述の切り離し可能領域は、底外フラップには形成されていなくてもよい。また、上記切り離し可能領域は、一対の蓋外フラップのうち、一方の蓋外フラップのみに設けられていてもよい。
【００５０】
当該箱用シートは、上記切り離し可能領域の切り離しを容易にできるよう、蓋外フラップの切り離し可能領域よりも基端側の側部に上記切り離し可能領域に連続する上述の切り欠きを有することが好ましい。但し、上記切り離し可能領域の切り離し容易性が問われないような場合であれば、上記切り欠きは設けられていなくてもよい。
【００５１】
上記破断誘導線は、上述のスリット部を有しない構成とすることも可能である。この構成によると、上述の剥離開始片の意図しない立ち上がりを抑制しやすい。
【００５２】
上記破断誘導線の具体的な形状は上記実施形態に記載の形状に限定されない。例えば上記破断誘導線は、蓋外フラップの側縁から先端縁に亘って直線状に設けられていてもよい。
【００５３】
上記折り曲げ容易線は、蓋外フラップの角部の頂部以外の部分に接続された構成とすることも可能である。例えば上記折り曲げ容易線は、上記破断誘導線と上記蓋外フラップの側縁とを接続していてもよい。
【００５４】
箱体の底部を形成するための具体的な構成は特に限定されるものではない。当該箱用シートは、いわゆるワンタッチタイプ、アメリカンロックタイプ等の底部を形成するものであってもよい。
【産業上の利用可能性】
【００５５】
以上のように、本考案の一態様に係る箱用シートは、内容物の損傷を抑制しつつ、封函テープを容易に剥離するのに適している。
【符号の説明】
【００５６】
１  第１側面パネル
２  第２側面パネル
３  蓋外フラップ
３ａ  角部の頂部
４  蓋内フラップ
５  底外フラップ
６  底内フラップ
７  糊代
１０  箱用シート
１１  切り離し可能領域
１１ａ  剥離開始片
１１ｂ  剥離誘導片
１２  破断誘導線
１２ａ  第１部分
１２ｂ  第２部分
１３  折り曲げ容易線
１４  切り欠き
１５  スリット部
１６  切り離し可能領域
２０  箱体
Ｘ  封函テープ
α  蓋外フラップの延出方向に対する折り曲げ容易線の傾斜角度
β  蓋外フラップの先端縁に対する第２部分の傾斜角度
【図１】
0003227748.tif 000003
【図２】
0003227748.tif 000004
【図３】
0003227748.tif 000005
【図４】
0003227748.tif 000006
【図５】
0003227748.tif 000007